(57)【要約】【課題】セキュリティを十分に確保し、且つシステム構築にかかるコストが十分に抑えられる入退室管理システムを提供する。【解決手段】ホスト装置１は、読取装置５がカード９から読み取ったＩＤを含む、部屋２への入退室判定要求を受信すると、当該部屋２の電子錠３の解錠可否を判定する。そして、電子錠３を解錠否と判定したときに、使用されたカード９を発行した許可者の携帯電話６にその旨を連絡する。また、ホスト装置１は、携帯電話６からの応答を受信すると、その応答の正当性を判断し、正当であれば、携帯電話６から要求された処理を実行する。【選択図】図１
2007247141.tif 000002
【特許請求の範囲】
【請求項１】
媒体が記憶している識別情報を読み取る識別情報読取手段、および、
前記識別情報読取手段が媒体から読み取った識別情報を出力する識別情報出力手段を有し、管理区域の出入口に設けられた扉の両側に、それぞれ配置した、読取装置と、
前記扉に設けられた電子錠の施錠、解錠を行う施錠、解錠手段を有する、電子錠制御装置と、
前記電子錠の解錠可否の判定に用いる判定情報として、媒体の識別情報から、その媒体が無効媒体であるかどうかの判別に用いる無効媒体判別情報と、前記管理区域の出入りにかかる識別情報の履歴を登録した通行履歴情報と、を記憶する判定情報記憶手段、
前記読取装置の前記識別情報読取手段が読み取った識別情報を取得し、前記判定情報記憶手段が記憶する前記判定情報を用いて、今回取得した識別情報に対する前記電子錠の解錠可否を判定する判定手段、
前記判定手段の判定結果を前記電子錠制御装置に通知する判定結果通知手段、
識別情報毎に、前記判定手段が前記電子錠を解錠否と判定したときに、解錠否と判定した理由別に連絡先を登録した連絡先情報を記憶する連絡先情報記憶手段、および、
前記判定手段が前記電子錠を解錠否と判定した場合に、前記連絡先情報記憶手段が記憶している連絡先情報を用いて、対応する連絡先に対して、前記電子錠を解錠否と判定したことを連絡する連絡手段を有する、ホスト装置と、
を備えた入退室管理システム。
【請求項２】
前記ホスト装置における、
前記連絡先情報記憶手段が記憶する前記連絡先情報は、電子錠を解錠否と判定した理由がアンチパスバックであるときの連絡先として、無線通信機能を有する携帯端末を登録した情報である、請求項１に記載の入退室管理システム。
【請求項３】
前記ホスト装置は、さらに、
前記連絡手段が前記扉の解錠否と判定したことを連絡した連絡先から、この連絡に対する応答を受信したとき、この応答について正当性を判定する正当性判定手段、および、
受信した応答について、前記正当性判定手段が正当であると判定した場合に、この応答で要求された処理を行う応答処理手段を有する請求項１または２に記載の入退室管理システム。
【請求項４】
前記ホスト装置における、
前記判定情報記憶手段は、識別情報毎に、アンチパスバックの発生履歴を示すアンチパスバック発生情報を記憶し、
前記連絡手段は、電子錠を解錠否と判定した理由がアンチパスバックであったとき、この判定にかかる識別番号におけるアンチパスバックの発生回数が、予め定められた第１の回数を超えていれば、アンチパスバックの発生が多いことを警告するメッセージを付けて、前記電子錠を解錠否と判定したことを連絡する手段である請求項１〜３のいずれかに記載の入退室管理システム。
【請求項５】
前記ホスト装置における、
前記連絡手段は、電子錠を解錠否と判定した理由がアンチパスバックであったとき、この判定にかかる識別番号におけるアンチパスバックの発生回数が、前記第１の回数よりも大きい、予め定められた第２の回数を超えていれば、前記電子錠を解錠否と判定したことを、複数の連絡先に連絡する手段である請求項４に記載の入退室管理システム。
【請求項６】
前記ホスト装置における、
前記連絡手段は、連絡内容に応答する際の応答先を関連づけた電子メールの送信、または自動電話応答による架電を行う手段である、請求項１〜５のいずれかに記載の入退室管理システム。
【発明の詳細な説明】
【技術分野】
【０００１】
この発明は、管理区域における、人の出入りを管理する入退室管理システムに関する。
【背景技術】
【０００２】
入退室管理システムは、管理区域における人の出入りを管理するシステムである。管理区域とは、許可されていない人（以下、未許可者と言う。）が出入りするのを制限し、許可されている人（以下、許可者と言う。）のみ出入りするのを許容する区域である。管理区域は、例えば、建物全体や、建物内の部屋単位で設定される。一般的な入退室管理システムでは、許可者に対して、識別情報（以下、ＩＤと言う。）を記憶したカード等の媒体を発行している。管理区域の出入口に設けられた扉には電子錠が取り付けられており、この扉を挟んだ両側、すなわち管理区域内側および管理区域外側、には、媒体からＩＤを読み取るカードリーダ等の読取装置が配置されている。扉の電子錠は、通常施錠されており、許可者が管理区域に出入りするときに一時的に解錠される。具体的には、管理区域に出入りする人が、所持する媒体のＩＤを読取装置に読み取らせる。ホスト装置が、読取装置が媒体から読み取ったＩＤを用いて、電子錠の解錠可否について判定する。ホスト装置が、電子錠を解錠可と判定すると、電子錠が一時的に解錠され、管理区域における人の出入りを許可する。
【０００３】
また、アンチパスバック機能を設け、セキュリティを高めた入退室管理システムが提案されている（特許文献１参照）。アンチパスバック機能とは、周知のように、同じ人物が、管理区域に連続して入ることや、管理区域から連続して出ることがないという点等に着目した機能である。簡単にいえば、管理区域に入った人が、この管理区域から出る前に、再度管理区域に入ることや、反対に管理区域から出た人が、この管理区域に入る前に、再度管理区域から出ることがないという点等に着目し、このような矛盾が生じたときに、アンチパスバックの発生と判断し、電子錠を解錠否と判定する機能である。許可者が自分の媒体のＩＤを読取装置に読み取らせることなく、他の許可者に続いて管理区域に入ったり、管理区域から出る、所謂共連れ、がアンチパスバックを発生させる原因の１つである。また、偽造媒体が使用された場合等においても、アンチパスバックが発生することがある。
【０００４】
アンチパスバックが発生した許可者は、アンチパスバックが発生した原因が解除されるまで、管理区域に出入りすることができない。一方、上述したように、偽造媒体が使用された場合等においても、アンチパスバックが発生することから、アンチパスバックが発生した人が許可者であるのか、偽造媒体を使用した者（不正者）であるのかを確認し、許可者であることが確認された場合のみ、解除にかかる処理を行う必要がある。この確認や、解除にかかる操作に、人手をかけることは、システムの運用コストを増大させる。そこで、特許文献１では、アンチパスバックを発生させた許可者が、管理区域に設置された電話機を利用して、ホスト装置にアクセスし、ホスト装置からの音声ガイダンスにしたがって該電話機を操作することで、アンチパスバックが発生した原因を解除することができる構成を提案している。
【特許文献１】特開平５−１９７８９０号公報
【発明の開示】
【発明が解決しようとする課題】
【０００５】
しかしながら、特許文献１に示されている構成は、誰もが電話機を使用してホスト装置にアクセスし、アンチパスバックが発生した原因の解除にかかる操作が行えることから、不正者も、この解除にかかる操作が行える。特許文献１では、パスワードを用いることで、この操作を行っている人物を確認しているが、不正者が、許可者のパスワードについても入手していると、アンチパスバックが発生した原因の解除が行える。
【０００６】
また、特許文献１の構成では、アンチパスバックが発生した原因の解除にかかる操作を行うための電話機を、管理区域毎に設置しなければならず、システム構築にかかるコストが嵩むという問題もあった。
【０００７】
この発明の目的は、セキュリティを十分に確保し、且つシステムの構築や運用にかかるコストが十分に抑えられる入退室管理システムを提供することにある。
【課題を解決するための手段】
【０００８】
この発明の入退室管理システムは、
媒体が記憶している識別情報を読み取る識別情報読取手段、および、
前記識別情報読取手段が媒体から読み取った識別情報を出力する識別情報出力手段を有し、管理区域の出入口に設けられた扉の両側に、それぞれ配置した、読取装置と、
前記扉に設けられた電子錠の施錠、解錠を行う施錠、解錠手段を有する、電子錠制御装置と、
前記電子錠の解錠可否の判定に用いる判定情報として、媒体の識別情報から、その媒体が無効媒体であるかどうかの判別に用いる無効媒体判別情報と、前記管理区域の出入りにかかる識別情報の履歴を登録した通行履歴情報と、を記憶する判定情報記憶手段、
前記読取装置の前記識別情報読取手段が読み取った識別情報を取得し、前記判定情報記憶手段が記憶する前記判定情報を用いて、今回取得した識別情報に対する前記電子錠の解錠可否を判定する判定手段、
前記判定手段の判定結果を前記電子錠制御装置に通知する判定結果通知手段、
識別情報毎に、前記判定手段が前記電子錠を解錠否と判定したときに、解錠否と判定した理由別に連絡先を登録した連絡先情報を記憶する連絡先情報記憶手段、および、
前記判定手段が前記電子錠を解錠否と判定した場合に、前記連絡先情報記憶手段が記憶している連絡先情報を用いて、対応する連絡先に対して、前記電子錠を解錠否と判定したことを連絡する連絡手段を有する、ホスト装置と、
を備えている。
【０００９】
この構成では、読取装置が、管理区域に出入りする者が所持する媒体から識別情報を読み取る。媒体は、磁気カード、接触式ＩＣカード、非接触式ＩＣカード、無線タグ等、識別情報を記憶させることができるものであれば、その種類については特になんであってもよい。また、読取装置は、複数種類の媒体から識別情報を読み取る構成としてもよい。
【００１０】
ホスト装置は、読取装置が媒体から読み取った識別情報を取得する。ホスト装置は、読取装置から識別情報を直接取得する構成であってもよいし、他の装置（例えば、電子錠制御装置）を介して間接的に取得する構成であってもよい。ホスト装置は、取得した識別情報に対する、管理区域の出入口に設けられた扉の電子錠の解錠可否を、判定情報記憶手段が記憶する判定情報を用いて判定する。ホスト装置は、電子錠の解錠可否について判定した判定結果を電子錠制御装置に通知する。電子錠制御装置は、ホスト装置から電子錠の解錠可が通知された場合に電子錠を一時的に解錠し、電子錠の解錠否が通知された場合に電子錠を解錠しない。
【００１１】
また、ホスト装置は、判定手段において扉の電子錠を解錠否と判定すると、識別情報および今回電子錠を解錠否と判定した理由、に対応する連絡先に、電子錠を解錠否と判定したことを連絡する。連絡先情報記憶手段が、識別情報毎に、電子錠を解錠否と判定した理由に対応する連絡先を、連絡先情報として記憶している。したがって、無効媒体が使用されたときや、アンチパスバックが発生した場合等に、その状況に応じた連絡先に対して、速やかにその旨を連絡することができる。例えば、無効媒体が使用された場合には、この管理区域の管理者や、警備室等に連絡し、アンチパスバックが発生した場合には、その媒体の所有者や、この所有者の上司等に連絡することができる。
【００１２】
なお、媒体の識別情報から、その媒体が無効媒体であるかどうかの判別に用いる無効媒体判別情報は、
無効媒体毎に、その識別情報を登録した情報であってもよいし、
有効媒体毎に、その識別情報を登録した情報であってもよいし、
発行済みの媒体毎に、有効媒体であるか、有効媒体であるかを対応づけた情報であってもよい。
【００１３】
また、アンチパスバックが発生した場合には、ホスト側から、予め登録されている連絡先（連絡先情報記憶手段が記憶する連絡先情報）に対して連絡するので、偽造媒体等を用いて、許可者になりすました不正者がアンチパスバックを発生させたときに、不正者の存在を許可者等に認識させることができる。したがって、管理区域の出入りにかかるセキュリティの向上が図れる。また、許可者自身が、アンチパスバックが発生した場合であれば、この連絡を受け取った許可者に、アンチパスバックの解除にかかる操作を行わせることで、アンチパスバックの解除にかかる操作を行うオペレータを必要とせず、運用コストが低減できる。
【００１４】
また、アンチパスバックの発生時には、その連絡先を、媒体を所持している人の携帯電話等の無線通信機能を有する携帯端末と、すれば、アンチパスバックとなった人に、その理由（アンチパスバックであること）を速やかに伝えることができる。また、電子錠を解錠否と判定したことを通知した連絡先から応答があった場合に、パスワード等を用いて、この応答の正当性を判断する構成とすれば、今回の応答を行っている人物に対するパスワード認証も行え、セキュリティの低下も生じない。
【００１５】
また、アンチパスバックの発生頻度が高い利用者に対して、警告を行うようにしてもよい。これにより、共連れを起こしやすい許可者（すなわち、アンチパスバックの発生頻度が高い利用者）に注意を促すことができる。また、この警告をしても、アンチパスバックを発生させる許可者については、この許可者の上司等にも、その旨を通知を行うようにしてもよい。このとき、許可者だけでは、アンチパスバックの解除が行えないようにしてもよい。例えば、この連絡を受け取った、上司と共同しなければ、例えば上司の承認が得られるまで、アンチパスバックの強制解除が行えないようにしてもよい。
【００１６】
また、電子錠を解錠否と判定した連絡を電子メールで送信し、この電子メールにホスト装置等の応答先を関連づけておけば、この連絡を受け取った人、すなわちアンチパスバックを発生させた許可者、における、アンチパスバックの解除にかかる手間が抑えられる。
【００１７】
また、自分自身が媒体の識別情報を、読取装置に読み取らせていないときに、許可者がホスト装置からの電子メールを受信した場合、例えば偽造媒体が使用されている場合や、許可者が媒体の紛失、盗難に気づいていなかった場合、における、対応が速やかに行えるように、応答の種別が選択できる電子メールを、ホスト装置から送信するようにしてもよい。応答の種別とは、例えばホスト装置に対するアンチパスバックの解除、管理者等に対する媒体の紛失、盗難の連絡、である。これにより、システムのセキュリティを一層向上させることができる。
【００１８】
また、上述の電子メールに代えて、自動電話応答により、携帯電話等へ架電を行う構成としてもよい。
【発明の効果】
【００１９】
この発明によれば、管理区域に出入りする人の管理にかかるセキュリティを低下させることなく、且つシステムの構築や運用ににかかるコストが十分に抑えられる。
【発明を実施するための最良の形態】
【００２０】
以下、この発明の実施形態である入退室管理システムについて説明する。
【００２１】
図１は、この発明の実施形態にかかる入退室管理システムを示す図である。この発明の実施形態の入退室管理システムは、
センタに設置されているホスト装置１と、
管理区域である部屋２（２Ａ、２Ｂ、・・・）毎に、その部屋の扉（不図示）に取り付けられた電子錠３（３Ａ、３Ｂ、・・・）と、
電子錠３毎に設けられ、対応する電子錠３の施錠、解錠を制御する電子錠制御装置４（４Ａ、４Ｂ、・・・）と、
許可者に対して発行しているカードから、このカードが記憶する識別情報（以下、ＩＤと言う。）を読み取る読取装置５（５Ａ、５Ｂ、・・・）と、
を備えている。読取装置５は、扉（不図示）を挟んで部屋２の内側、および外側に１台ずつ設置されている。管理区域として管理される部屋２は、１つであってもよいし、２つ以上あってもよい。ここでは、管理区域として管理される部屋２が複数である場合を例にしている。また、図１では、出入りする扉が１つである部屋２を示しているが、複数の扉があってもよい。この場合、読取装置５は、扉毎に、この扉を挟んで部屋２の内側、および外側に、１台ずつ設置される。また、各扉には、電子錠３が取り付けられる。電子錠制御装置４については、扉毎に１台ずつ設ける構成であってもよいし、部屋毎に１台ずつ設ける構成であってもよいし、さらには複数の部屋２に対して１台設ける構成であってもよい。電子錠制御装置４は、１台で複数の扉に取り付けられた電子錠３の施錠、解錠を制御する場合、電子錠３毎に施錠、解錠を制御する。電子錠制御装置４には、施錠、解錠を制御する電子錠３、およびこの電子錠３が取り付けられている扉を挟んで部屋２の内側、および外側に設置されている読取装置５が接続される。また、ホスト装置１には、このホスト装置１で入退室を管理する各部屋２の電子錠制御装置４が接続されている。ホスト装置１と、電子錠制御装置４とは、有線で接続されていてもよいし、無線で接続されていてもよい。また、電子錠制御装置４と読取装置５との接続や、電子錠制御装置４と電子錠３との接続についても、有線であってもよいし、無線であってもよい。また、図１では、読取装置５が、電子錠制御装置４を介してホスト装置１に接続されている場合を例にしているが、読取装置５をホスト装置１に直接接続する構成であってもよい。さらに、図１中に示している携帯電話６は、インタネット等の広域ネットワークに接続でき、この広域ネットワークを利用して電子メールの送受信が行える。携帯電話６は、許可者が個人的に所有しているものである。
【００２２】
図２は、この実施形態の入退室管理システムにおけるホスト装置の主要部の構成を示す図である。ホスト１は、本体の動作を制御する制御部１１と、管理区域である各部屋２に出入りする人を管理する管理情報を記憶する記憶部１２と、電子錠制御装置４と通信する送受信部１３と、ＬＡＮ、公衆回線網、さらには携帯電話網等を介して携帯電話６や他の機器（例えば、図示していない警備室や管理室に設置されている端末装置）と通信する通信部１４と、を備えている。記憶部１２は、入退室履歴データベース１６、入退室資格データベース１７、連絡先データベース１８、ネガデータベース１９を記憶している。
【００２３】
入退室履歴データベース１６は、図３（Ａ）に示すように、管理区域である各部屋２に出入りした許可者の履歴を時系列に登録したものであり、部屋２に出入りした許可者について、ＩＤ、許可者の名前、出入りした日時、出入りした部屋、出入りの区別、アンチパスバックにかかる判定結果（パスバックチェック）等を対応づけたレコードを、登録したデータベースである。この実施形態では、同じ許可者が、同じ部屋２に連続して入ろうとしている場合や、同じ部屋２から連続して出ようとしている場合だけでなく、ある部屋２（例えば、部屋２Ａ）に入ったことが確認されている許可者であって、この許可者がこの部屋２（例えば、部屋２Ａ）から出たことが確認されていないときに、別の部屋２（例えば、部屋２Ｂ）に入ろうとしている場合にも、アンチパスバックが発生したと判定する。図３（Ａ）に、ＩＤが「００００１」である許可者が、部屋２Ａから連続して出ようとしたことを検出し、アンチパスバックが発生した（パスバックチェックがＮＧとなった）場合を例示している。
【００２４】
入退室資格データベース１７は、図３（Ｂ）に示すように、ＩＤ毎に、許可者の氏名、および部屋２毎の入退室の可否を対応づけたレコードを登録している。図３（Ｂ）においては、ＩＤ「００００１」の許可者に対して、部屋Ａ，Ｂ、Ｃの出入りを許可し、ＩＤ「００００２」の許可者に対して、部屋Ａの出入りを許可し、ＩＤ「００００３」の許可者に対して、部屋Ａ，Ｃの出入りを許可し、ＩＤ「００００４」の許可者に対して、部屋Ａ，Ｂの出入りを許可している場合を示している。また、入退室資格データベース１７には、図示していないが、ＩＤ毎に、後述するアンチパスバックを発生させた累積発生回数が記憶される。
【００２５】
連絡先データベース１８は、図３（Ｃ）に示すように、ＩＤ毎に、アンチパスバック発生時の連絡先（許可者本人に対する連絡先）、紛失、盗難カード（以下、総称して、無効カードと言う。）が使用された場合の連絡先、許可者の上司の連絡先を対応づけたレコードを登録したデータベースである。無効カードが使用された場合の連絡先については、図３（Ｃ）では、全て同じである場合を示しているが、ＩＤ毎に異なっていてもよい。入退室資格データベース１７と、連絡先データベース１８と、は、１つのデータベースで構成してもよい。許可者本人の連絡先は、この許可者が所有する携帯電話６の電子メールアドレスである。ネガデータベース１９は、紛失、盗難等により無効としたカード毎に、そのＩＤを登録したデータベースである。このネガデータベース１９が、この発明で言う無効媒体判別情報に相当する。
【００２６】
なお、ネガデータベース１９に代えて、発行済みのカードであって、有効であるカードについてＩＤを登録し、無効としたカードのＩＤを登録していないデータベースを用いてもよいし、発行済みのカード毎に、ＩＤと、有効または無効を示すフラグと、を対応づけたデータベースを用いてもよい。
【００２７】
送受信部１３は、電子錠制御装置４から送信されてきた電子錠３の解錠可否の判定要求の受信や、この判定要求に対する判定結果を電子錠制御装置４に送信する。通信部１４は、連絡先データベース１８に登録されているアドレスへの電子メールの送信や、アクセスしてきた携帯電話６等と通信する。
【００２８】
図４は、この実施形態の入退室管理システムにおける電子錠制御装置の主要部の構成を示す図である。電子錠制御装置４は、本体の動作を制御する制御部４１と、電子錠３の施錠、解錠を行う施錠、解錠部４２と、ホスト装置１と通信する送受信部４３と、読取装置５から送信されてきたＩＤを受信する受信部４４と、を備えている。施錠、解錠部４２は、通常時、電子錠３を施錠しており、ホスト装置１から解錠の指示があったときに、一時的に電子錠３を解錠する。送受信部４３は、ホスト装置１への電子錠３の解錠可否の判定要求の送信や、ホスト装置１から送信されてきた電子錠３の解錠可否の判定要求に対する判定結果の受信を行う。受信部４４は、読取装置５から送信されてきたカードのＩＤを受信する。
【００２９】
また、図５は、この実施形態の入退室管理システムにおける読取装置の主要部の構成を示す図である。読取装置５は、本体の動作を制御する制御部５１と、カード９が記録するＩＤを読み取る読取部５２と、読取部５２がカード９から読み取ったＩＤを電子錠制御装置４へ送信する送信部５３と、を備えている。読取部５２は、カード９からＩＤを読み取ることができる構成であればよく、例えばカード９が磁気カードであれば磁気ヘッドを有し、この磁気ヘッドでカード９が記憶する磁気データを読み取る構成である。また、カード９が無線通信機能を有する非接触媒体であれば、カード９と無線通信を行う構成である。送信部５３は、読取部５２において、カード９から読み取ったＩＤを電子錠制御装置４へ送信する。
【００３０】
以下の説明では、カード９は、無線通信機能を有する非接触媒体であるとして説明する。
【００３１】
次に、この発明の実施形態である入退室管理システムの動作について説明する。図６は、この実施形態の読取装置の動作を示すフローチャートであり、図７はこの実施形態の電子錠制御装置の動作を示すフローチャートであり、図８はこの実施形態のホスト装置の動作を示すフローチャートである。
【００３２】
読取装置５は、読取部５２においてカード９からＩＤを読み取ると（ｓ１）、読み取ったＩＤを送信部５３から電子錠制御装置４に送信する（ｓ２）。読取装置１は、読取部５２において、無線通信エリア内に位置するカード９に対するポーリングを一定時間間隔で行っている。読取部５２の無線通信エリアは、図示していないアンテナから数ｃｍの範囲である。管理区域に出入りする許可者が、カード９を、この無線通信エリア内にかざす。これにより、カード９が、読取部５２のポーリングに対して応答する。読取部５２は、この応答を受信することにより、無線通信エリア内に位置するカード９の存在を検知する。読取部５２は、無線通信エリア内に位置するカード９との無線通信で、このカード９が記憶しているＩＤを読み取る。読取装置１は、送信部５３において、ｓ１でカード９から読み取ったＩＤ（以下、読取装置５のＩＤと区別するためにカードＩＤとする。）とともに、自機に割り当てられているＩＤ（以下、カードＩＤと区別するために読取装置ＩＤとする。）を電子錠制御装置４に送信する。読取装置ＩＤは、ホスト装置１や、電子錠制御装置４において、どの読取装置５が読み取ったカードＩＤであるのかが判断できるように、付加している。
【００３３】
電子錠制御装置４は、受信部４４において読取装置５から送信されてきたカードＩＤを受信するか、送受信部４３においてホスト装置１から送信されてきた電子錠３の解錠可否の判定結果を受信するのを待っている（ｓ１１、ｓ１２）。電子錠制御装置４は、受信部４４においてカードＩＤ、および読取装置ＩＤを受信すると、今回受信したカードＩＤ、および読取装置ＩＤを含む、電子錠３の解錠可否の判定要求を作成し（ｓ１３）、作成した判定要求を送受信部４３からホスト装置１へ送信する（ｓ１４）。
【００３４】
また、ホスト装置１は、送受信部１３において電子錠制御装置４から送信されてきた電子錠３の解錠可否の判定要求を受信するか、通信部１４において携帯電話６等からの応答を受信するのを待っている（ｓ３１、ｓ３２）。ホスト装置１は、送受信部３１において、電子錠制御装置４から送信されてきた判定要求を受信すると、この判定要求に対する、電子錠３の解錠可否を判定する判定処理を行う（ｓ３３）。
【００３５】
図９は、ｓ３３にかかる判定処理を示すフローチャートである。ホスト装置１は、今回受信した判定要求に含まれているカードＩＤが、ネガデータベース１９に登録されているかどうかを判定する（ｓ５１）。ホスト装置１は、ネガデータベース１９に登録されているカードＩＤであると、今回の判定要求に対して電子錠３の解錠を否とする判定を行う（ｓ５５）。すなわち、ｓ５１では、無効カードの使用であるかどうかを判定している。ホスト装置１は、ｓ５１でネガデータベース１９に登録されていないカードＩＤであると判定すると、このカードＩＤに対して、許可している部屋２の電子錠３の解錠を要求する判定要求であるかどうかを判定する（ｓ５２）。ｓ５２では、今回受信した判定要求に含まれている読取装置ＩＤから、解錠が要求されている電子錠３が取り付けられている部屋２を判断する。そして、今回の判定要求に含まれているカードＩＤに対して、先に判断した部屋２への出入りが許可されているかどうかを判定する。この判定は、入退室資格データベース１７を用いて行う。ホスト装置１は、ｓ５２で、許可していない部屋２であると判定すると、ｓ５５で今回の判定要求に対して電子錠３の解錠を否とする判定を行う。ホスト装置１は、ｓ５２で許可されている部屋２であると判定すると、アンチパスバックが発生していないかどうかを判定する（ｓ５３）。ｓ５３では、今回受信した判定要求に含まれている読取装置ＩＤから、部屋２への入室であるか、退出であるかも判断している。ホスト装置１は、同じ部屋２への連続した入室や退室でないかや、この時点で他の部屋２に入室している許可者の入室や退室でないか等、の矛盾が生じていないかを、ここで判定している。ホスト装置１は、ｓ５３で何らかの矛盾が生じていると判定すると（パスバックチェックＮＧと判定すると）、ｓ５５で今回の判定要求に対して電子錠３の解錠を否とする判定を行う。反対に、ホスト装置１は、ｓ５３で何ら矛盾が生じていないと判定すると（パスバックチェックＯＫと判定すると）、ｓ５４で今回の判定要求に対して電子錠３の解錠を可とする判定を行う（ｓ５４）。ホスト装置１は、ｓ５１、ｓ５２、ｓ５３のいずれにおいて電子錠３を解錠否と判定したかで、解錠否と判定した理由を判断する。
【００３６】
ホスト装置１は、ｓ３３にかかる判定処理が完了すると、送受信部１３において、その判定結果を、判定要求を送信してきた電子錠制御装置４に送信する（ｓ３４）。また、今回の判定要求に基づく入退室の履歴を示すレコードを作成し、入退室履歴データベース１６に登録する（ｓ３５）。ｓ３５では、電子錠３を解錠可と判定した場合だけでなく、電子錠３を解錠否と判定した場合も、レコードを作成し、入退室履歴データベース１６に登録する。
【００３７】
なお、図３（Ａ）では、特に示さなかったが、入退室履歴データベース１６に登録されているレコードには、電子錠３を解錠可と判定したか、解錠否と判定したかを、示す情報も含まれている。電子錠３を解錠否とした履歴は、部屋２への出入りが行われていないことを示している。
【００３８】
さらに、ホスト装置１は、今回電子錠３を解錠否と判定した場合、解錠否と判定した理由に対応する連絡先に連絡する連絡処理を行う（ｓ３６、ｓ３７）。この連絡処理については、後述する。
【００３９】
電子錠制御装置４は、ホスト装置１がｓ３４で送信した判定結果を、ｓ１２で受信すると、ホスト装置１における判定結果が、電子錠３の解錠可であったのか、解錠否であったのかを判定する（ｓ１５）。電子錠制御装置４は、ｓ１５で解錠否と判定すると、電子錠３を解錠することなく、本処理を終了する。これにより、部屋２への出入りが許可されていない未許可者等が、当該部屋２に出入りするのを制限する。また、電子錠制御装置４は、ｓ１２で受信した判定結果が電子錠３の解錠可であれば、該当する電子錠３を解錠する（ｓ１６）。電子錠制御装置４は、ｓ１６で解錠した電子錠３が取り付けられている扉が開され、許可者が部屋２に出入りしたことを検知すると（ｓ１７）、ｓ１６で解錠した電子錠３を施錠し（ｓ１８）、本処理を終了する。ｓ１７では、例えば扉の開閉を検知するセンサを配置しておき、このセンサで扉の開を検知した後、扉の閉を検知することにより、許可者が部屋２に出入りしたことを検知する。また、部屋２に出入りする人の通過を検知できるように、扉付近に複数のセンサを配置し、この複数のセンサにより許可者が部屋２に出入りしたことを検知するようにしてもよい。
【００４０】
次に、上述したｓ３７にかかる連絡処理について説明する。図１０は、この連絡処理を示すフローチャートである。ホスト装置１は、電子錠３を解錠否と判定した理由が無効カードの使用であるという理由である場合、無効カードの使用があったことを警備室に連絡する（ｓ６１、ｓ６２）。この連絡には、無効カードが使用された部屋２や、使用された無効カードのＩＤ等を示す情報が含まれている。したがって、警備員は、この連絡を警備室で受け取ると、迅速に対応することができる。すなわち、無効カードの使用に対するセキュリティを十分に確保することができる。また、無効カードが使用されたときに、公知の警報装置等を利用して、無効カードが使用された部屋２付近で警報を鳴らすようにしてもよい。
【００４１】
また、ホスト装置１は、電子錠３を解錠否と判定した理由がアンチパスバックの発生であるという理由であれば、今回アンチパスバックを発生させた許可者について、アンチパスバックを発生させる可能性レベルを推定する（ｓ６３、ｓ６４）。例えば、高、中、低の３段階のレベルで推定する。このレベルの推定は、過去にアンチパスバックを発生させた回数や、発生が繰り返される頻度（以下、期間頻度と言う。）等に基づいて推定する。例えば、累積発生回数が１０回（この発明で言う第２の回数に相当する。）以上であると、高レベルと判定し、累積発生回数が５回（この発明で言う第１の回数に相当する。）以上であると、中レベルと判定し、累積発生回数が５回未満であると、低レベルと判定する。また、累積発生回数は、半年間や１年間等、予め定めた一定期間において、アンチパスバックを一度も発生させなかったときに、リセットされるようにしてもよい。また、このアンチパスバックの累積発生回数は、入退室資格データベース１７に登録されている。
【００４２】
ホスト装置１は、ｓ６４で低レベルであると判定すると、今回使用されたカード９のＩＤに対応づけられている許可者の携帯電話６に対して、アンチパスバックが発生したことを電子メールで送信する（ｓ６５、ｓ６６）。この許可者の携帯電話６の電子メールアドレスは、連絡先データベース１８に登録されている。図１１（Ａ）は、ホスト装置１がｓ６５で送信した電子メールを受信した、携帯電話６における表示画面例を示している。許可者は、この電子メールを見ることで、アンチパスバックが、いつ、どこで発生したのかを確認することができる。また、この電子メールには、今回通知されたアンチパスバックに応答する際の連絡先が関連づけられている。したがって、許可者は、アンチパスバックの発生が通知されたときに、この通知に対して速やかに応答することができる。許可者の応答にかかる処理については、後述する。
【００４３】
また、ホスト装置１は、ｓ６４で中レベルであると判定すると、今回使用されたカード９のＩＤに対応づけられている許可者の携帯電話６に対して、アンチパスバックが発生したことを電子メールで送信する（ｓ６７、ｓ６８）。ｓ６８で、送信される電子メールには、アンチパスバックの発生が多いことを警告するメッセージが付加されている（図１１（Ｂ）参照）。すなわち、アンチパスバックの発生が比較的多い許可者については、警告メッセージを付けることで、注意を促している。さらに、ホスト装置１は、ｓ６４で高レベルであると判定すると、今回使用されたカード９のＩＤに対応づけられている許可者の携帯電話６に対して、アンチパスバックが発生したことを電子メールで送信する（ｓ６９、ｓ７０）。ｓ７０で、送信される電子メールには、アンチパスバックの発生が多いことを警告するメッセージだけでなく、後述するアンチパスバックを解除するには、許可者の上司の承認が必要であることを通知するメッセージも付加されている（図１１（Ｃ）参照）。ホスト装置１は、ｓ７０で、許可者の携帯電話６に電子メールを送信すると、この許可者の上司に対して電子メールを送信する（ｓ７１）。許可者の上司の電子メールアドレスは、連絡先データベース１８に登録されている。
【００４４】
また、ホスト装置１は、電子錠３を解錠否と判定した理由が上述した無効カードの使用、アンチパスバックの発生以外の理由、例えばカード９が許可されていない部屋への入室のために使用された場合等、であれば、許可者の携帯電話６に対して、電子錠３を解錠否と判定した理由を電子メールを送信する（ｓ７２）。
【００４５】
ホスト装置１が、電子メールを許可者が所有する携帯電話６に送信するので、今回使用されたカード９のＩＤに対応する許可者に対して、今回のカード９の使用において、電子錠３を解錠否と判定した理由を伝えることができる。また、ホスト装置１からの電子メールを確認した許可者は、このとき、自分が全く別の場所にいると、カード９の紛失や盗難に気づいたり、偽造カードがあることに気づき、これに対応する行動をとることができる。一方、許可者は、自分の行動によるものであれば、これに対応する行動をとることができる。
【００４６】
許可者は、ホスト装置１から携帯電話６に送信されてきた電子メールに関連づけられている応答先（ここでは、ホスト装置１）にアクセスすると、携帯電話６の表示部には、アンチパスバックの解除にかかる応答を行うか、警備室に通報するかを選択させる画面が表示される（図１２（Ａ）参照）。ここで、許可者は、アンチパスバックを解除したいときには、アンチパスバックの解除を選択する入力操作を行う。また、カード９の紛失、盗難に気づいたり、偽造カードがあることに気づいたりしたときには、警備室への通報を選択する入力操作を行う。許可者が、この選択を行うと、携帯電話６の表示部にはパスワードの入力画面が表示される（図１２（Ｂ）参照）。許可者は、さらにパスワードを入力する。パスワードの入力は、２回行わせ、入力された２つのパスワードが一致しているときにのみ有効になる。許可者が、携帯電話６で入力した内容は、応答先であるホスト装置１の通信部１４で受信される。
【００４７】
ホスト装置１は、ｓ３２で応答を受信すると、今回受信した応答の内容がアンチパスバックの解除であれば、アンチパスバックの解除にかかる処理を行う（ｓ３８、ｓ３９）。図１３は、このアンチパスバックの解除処理にかかるフローチャートである。ホスト装置１は、今回アンチパスバックの解除処理を行う許可者について、パスワードが適正であるかどうかを判定する（ｓ８１）。ここでパスワードが不適性であると判定すると、その旨を警備室に連絡する（ｓ８２）。これにより、パスワードを知らない者が、携帯電話６を使用した場合には、そのことが警備室に連絡される。したがって、無効カードが使用された場合と同様に、警備員は、この連絡を警備室で受け取ると、迅速に対応することができる。
【００４８】
ホスト装置１は、ｓ８１でパスワードが適正であると判定すると、ｓ６４で推定した、アンチパスバックを発生させる可能性レベルが高レベルであったかどうかを判定する（ｓ８３）。ホスト装置１は、高レベルでなければ、すなわち低レベル、または中レベルであれば、アンチパスバックの解除にかかる処理を行う（ｓ８４）。ｓ８４では、例えば入退室履歴にかかる入退室履歴の擬似レコードを作成し、これを入退室履歴データベース１６に登録する。例えば、許可者が共連れで部屋２に入室していたときには、この許可者が部屋２に入室したことを示す入退室履歴の擬似レコードを作成し、入退室履歴データベース１６に登録する。また、ホスト装置１は、ｓ８４で入退室資格データベース１７に記憶している該当するＩＤのアンチパスバックの発生回数を１カウントアップする。ホスト装置１は、ｓ８４にかかる処理が完了すると、許可者の携帯電話６に処理完了を通知する電子メールを通信部１４から送信する（ｓ８５）。
【００４９】
許可者は、この電子メールを携帯電話６で受信することにより、アンチパスバックが解除されたことを認識する。この後、許可者は、カード９のＩＤを再度読取装置５に読み取らせることで、部屋２に対する入退室が行える。
【００５０】
また、ホスト装置１は、ｓ８３で高レベルであると判定すると、今回のアンチパスバックの解除が許可書の上司に承認されているかどうかを判定する（ｓ８６）。ホスト装置１は、ｓ８６で上司が承認していないと判定すると、上司の承認待ちであることを示す電子メールを、許可者の携帯電話６に送信する（ｓ８７）。その後、許可者の上司の承認が得られると（ｓ８８）、ｓ８４、ｓ８５にかかる処理を行う。ホスト装置１は、上述したように、高レベルの許可者については、許可者の上司に対しても、アンチパスバックの発生を通知する連絡を行っている。この連絡に対する応答を通信部１４で受信することにより、許可者の上司の承認が得られたと判定する。
【００５１】
このように、アンチパスバックを発生させる可能性が高い許可者は、上司の承認が得られるまで、アンチパスバックが解除されない。したがって、高レベルの許可者は、今後アンチパスバックを発生させないように慎重に行動する。これにより、システム全体におけるアンチパスバックの発生頻度を抑えることができ、結果的にセキュリティの向上が図れる。
【００５２】
このように、この実施形態の入退室管理システムでは、アンチパスバックが発生したときには、その解除にかかる操作を、許可者自身に行わせることができ、ホスト装置１側にこの解除にかかる操作を行うオペレータを特に配置する必要がない。したがって、システムの運用にかかるコストを低減できる。
【００５３】
また、ホスト装置１がアンチパスバックの発生等を、許可者の携帯電話６に通知する構成であるので、許可者に対してカード９の紛失、盗難や、偽造カードの存在を速やかに認識させることができるとともに、カード９の紛失、盗難や、偽造カードの存在に気づいたときに速やかに対応させることができる。これにより、入退室管理システムのセキュリティの一層の向上が図れる。また、各部屋２に対して、電話機を配置する必要もなく、システム構築にかかる費用も抑えられる。
【００５４】
なお、上記実施形態では、許可者の携帯電話６への通知を電子メールで行う場合を例にして説明したが、自動電話応答システムを利用して携帯電話６へ架電し、通知するように構成してもよい。
【００５５】
ホスト装置１は、通信部１４で受信した応答が、カード９の紛失、盗難や、偽造カードの存在通知（警備室に通報）であれば、該カード９のＩＤを紛失、盗難カードとして警備室に連絡するとともに、ＩＤをネガデータベース１９に登録する（ｓ４０、ｓ４１）。これにより、紛失、盗難カードの使用に対するセキュリティの向上が図れる。また、ホスト装置１は、これら以外の応答を受信したときには、受信した応答に応じた処理（その他の処理）を行う（ｓ４２）。
【００５６】
さらに、許可者は、ホスト装置１からの電子メールを受信していないときにも、ホスト装置１にアクセスし、ホスト装置１に対して何らかの申請が行えるようにしてもよい。例えば、ホスト装置１に対して、携帯電話６から、カード９の紛失、盗難にかかる登録申請や、カード９忘れの申請が行えるようにしてもよい。具体的には、ホスト装置１が、処理申請ページをインタネット上で公開しておき、携帯電話６でこのページにアクセスすることで、申請が行えるようにしてもよい。図１４（Ａ）は、このページにアクセスした携帯電話６の表示画面例である。許可者は、携帯電話６でこのページにアクセスし、申請内容を選択し、図１４（Ｂ）に示す画面で、ＩＤ，部門コード、パスワードを入力することで、選択した申請を行う。すなわち、携帯電話６が、選択された申請内容と、ＩＤ，部門コード、パスワードをホスト装置１に送信する。ホスト装置１は、携帯電話６から送信されてきた申請にかかる処理を行う。ホスト装置１は、この申請にかかる処理が完了すると、処理完了を通知する電子メールを、当該携帯電話６に送信する。図１４（Ｃ）は、この電子メールを受信した携帯電話６の表示画面例である。
【００５７】
このようにすれば、許可者が紛失、盗難されたカード９が不正使用される前に、そのカード９を無効カードとして登録できる。これにより、紛失、盗難カードの使用に対するセキュリティの一層の向上が図れる。また、携帯電話６から、カード９を自宅等に忘れてきた許可者が、仮カードの発行をホスト装置１に要求できるようにしてもよい。このようにすれば、カード９を自宅に忘れてきた許可者についても、適正な対応をとらせることができる。なお、仮カードについては、その有効期間を１日等に制限して発行することで、セキュリティの低下が抑えられる。
【００５８】
さらに、携帯電話６が非接触媒体を内蔵している構成であれば、カード９の代わりに、携帯電話６が使用できるようにしてもよい。このようにすると、仮カードの発行にかかる手間を削減することができる。この場合には、予め携帯電話６に内蔵されている非接触媒体のＩＤを入退室資格データベース１７に登録しておけばよい。
【００５９】
このように、この実施形態によれば、システムのセキュリティを低下させることなく、システムの運用にかかる人手を削減でき、運用コストを低減させられる。また、無効カードが使用されたときには、すみやかに、警備室等への連絡が行われるので、無効カードが使用されたときにおける、対応がスムーズに行える。また、利用者がカード９の紛失や盗難に気づいたときには、すみやかに事故カードとして登録することができ、紛失、盗難にあったカードの不正使用に対するセキュリティも十分に確保することができる。
【図面の簡単な説明】
【００６０】
【図１】この発明の実施形態にかかる入退室管理システムを示す図である。
【図２】この実施形態の入退室管理システムにおけるホスト装置の主要部の構成を示す図である。
【図３】この実施形態の入退室管理システムにおけるホスト装置が記憶する、各種データベースを示す図である。
【図４】この実施形態の入退室管理システムにおける電子錠制御装置の主要部の構成を示す図である。
【図５】この実施形態の入退室管理システムにおける読取装置の主要部の構成を示す図である。
【図６】この実施形態の入退室管理システムにおける読取装置の動作を示すフローチャートである。
【図７】この実施形態の入退室管理システムにおける電子錠制御装置の動作を示すフローチャートである。
【図８】この実施形態の入退室管理システムにおけるホスト装置の動作を示すフローチャートである。
【図９】この実施形態の入退室管理システムにおけるホスト装置の判定処理を示すフローチャートである。
【図１０】この実施形態の入退室管理システムにおけるホスト装置の連絡処理を示すフローチャートである。
【図１１】電子メールを受信した携帯電話６の表示画面例を示す図である。
【図１２】電子メールを受信した携帯電話６の表示画面例を示す図である。
【図１３】この実施形態の入退室管理システムにおけるホスト装置のアンチパスバックの解除処理を示すフローチャートである。
【図１４】携帯電話の表示画面例を示す図である。
【符号の説明】
【００６１】
１−ホスト装置
２−部屋
３−電子錠
４−電子錠制御装置
５−読取装置
６−携帯電話
９−カード
【図１】
2007247141.tif 000003
【図２】
2007247141.tif 000004
【図３】
2007247141.tif 000005
【図４】
2007247141.tif 000006
【図５】
2007247141.tif 000007
【図６】
2007247141.tif 000008
【図７】
2007247141.tif 000009
【図８】
2007247141.tif 000010
【図９】
2007247141.tif 000011
【図１０】
2007247141.tif 000012
【図１１】
2007247141.tif 000013
【図１２】
2007247141.tif 000014
【図１３】
2007247141.tif 000015
【図１４】
2007247141.tif 000016